(57)【要約】【課題】簡単な構成で、浴槽の残り湯を浴室内にて再利用することができる給湯装置を提供する。【解決手段】給湯装置１０では、浴槽水９１を給湯使用側端末７０に送る場合には、浴槽水９１を給湯配管２５に供給するように循環湯経路切替弁１０１および循環湯混合弁１０２が制御部によって制御される。これによって浴槽９０内の浴槽水９１を給湯配管２５に供給することができる。したがって貯湯タンク２１内の湯水に換えて浴槽水９１を給湯使用側端末７０に供給することができる。【選択図】図１
2015072098.tif 000002
【特許請求の範囲】
【請求項１】
温水を内部に貯える貯湯タンク（２１）と、
前記貯湯タンク外に設けられ、前記貯湯タンクの下部と前記貯湯タンクの上部とを接続する加熱循環回路（３１）と、
前記加熱循環回路を介して前記貯湯タンクの下部の水を前記貯湯タンクの上部に送る加熱循環ポンプ（３２）と、
前記加熱循環回路を流れる水を加熱する加熱手段（３３）と、
前記貯湯タンクの上部と給湯使用側端末（７０）とを接続し、前記給湯使用側端末に貯湯タンク内の湯水を供給する給湯流路（２５）と、
前記給湯流路と浴槽（９０）の下部とを接続し、前記浴槽内の浴槽水を前記給湯流路に供給する風呂循環部（２２，１１０）と、
前記貯湯タンクの上部から前記給湯使用側端末に供給する流量と、前記浴槽の下部から前記給湯使用側端末に供給する流量とを調節する浴槽水調節手段（１０２）と、
前記加熱循環ポンプ、前記風呂循環部および前記浴槽水調節手段を制御する制御手段と、を含み、
前記制御手段は、前記浴槽水を前記給湯使用側端末に送る場合には、前記浴槽水を前記給湯流路に供給するように前記風呂循環部を制御し、前記浴槽の下部から前記給湯使用側端末に前記浴槽水が流入するように前記浴槽水調節手段を制御することを特徴とする給湯装置。
【請求項２】
前記風呂循環部は、
前記浴槽の下部と前記給湯流路とを接続するバイパス流路（１００）と、
前記バイパス流路に設けられ、前記浴槽水を前記給湯流路に供給する風呂循環ポンプ（８４）と、
前記バイパス流路に設けられ、前記バイパス流路を流れる前記浴槽水と前記貯湯タンク内の湯水とを熱交換する間接熱交換器（２６）と、を含み、
前記制御手段は、前記加熱循環ポンプ、前記風呂循環ポンプおよび前記浴槽水調節手段を制御し、
前記制御手段は、前記浴槽水を前記給湯使用側端末に送る場合には、前記風呂循環ポンプを駆動するように制御し、前記バイパス流路から前記給湯使用側端末に前記浴槽水が流入するように前記浴槽水調節手段を制御することを特徴とする請求項１に記載の給湯装置。
【請求項３】
前記風呂循環部は、
前記浴槽水を循環可能に接続する風呂循環回路（２２）と、
前記風呂循環回路に設けられ、前記浴槽水を循環させる風呂循環ポンプ（８４）と、
前記風呂循環回路に設けられ、循環する前記浴槽水と前記貯湯タンクの湯水とを熱交換する間接熱交換器（２６）と、
前記風呂循環回路における前記間接熱交換器の下流側と、前記給湯流路とを接続するバイパス流路（１００）と、を含み、
前記風呂循環回路から前記バイパス流路に流入する流量と、前記風呂循環回路を経て前記浴槽へ戻る流量とを調節する風呂調節手段（１０１）を、さらに含み、
前記制御手段は、前記加熱循環ポンプ、前記風呂循環ポンプ、前記浴槽水調節手段および前記風呂調節手段を制御し、
前記制御手段は、前記浴槽水を前記給湯使用側端末に送る場合には、前記風呂循環ポンプを駆動するように制御し、前記風呂循環回路から前記バイパス流路に前記浴槽水が流入するように前記風呂調節手段を制御し、前記バイパス流路から前記給湯使用側端末に前記浴槽水が流入するように前記浴槽水調節手段を制御することを特徴とする請求項１に記載の給湯装置。
【請求項４】
前記間接熱交換器には、前記貯湯タンク内の水温が異なる少なくとも２つの供給箇所から温水が供給され、
前記制御手段は、前記浴槽水を前記給湯使用側端末に送る場合には、予め設定される温度で前記給湯流路に前記浴槽水が流入するように、前記貯湯タンクから前記間接熱交換器に供給される湯水の前記供給箇所を制御することを特徴とする請求項２または３に記載の給湯装置。
【発明の詳細な説明】
【技術分野】
【０００１】
本発明は、浴槽の残り湯を再利用可能な給湯装置に関する。
【背景技術】
【０００２】
従来、浴槽の残り湯などの家庭用排水を再利用する場合、一旦貯水タンク等に排水を貯留して浄化および消毒し、貯留しない場合も、簡単なストレーナおよびフィルターによって大きなごみ等を取り除き、浄化処理した後に再利用する方法がある。これらの家庭用排水を再利用する既存の製品では貯水タンクおよび浄化処理設備が必要となり、製造コストが高くなるという問題がある。また貯水タンクおよび浄化処理設備を設置するためのスペースが必要という問題がある。
【０００３】
このような問題を解決する技術として、浴槽残り湯を再利用する装置が特許文献１に開示されている。浴槽残り湯は、台所、洗濯およびトイレからの排水に比べきれいであることから浄化処理装置を必要としない。そこで浴槽残り湯を既設のポンプを利用し、流路切替弁にて複数の家庭用水廻り器具で再利用することで、浴槽残り湯が持つ熱（温水）を可能な限り再利用している。
【先行技術文献】
【特許文献】
【０００４】
【特許文献１】特開２００１−３２１２８６号公報
【発明の概要】
【発明が解決しようとする課題】
【０００５】
特許文献１に記載の技術では、各水廻り器具の既存配管とは別に、ポンプからの流水経路確保のための配管が必要である。また浴槽残り湯の再利用する用途は浴室以外の家庭用水廻り器具であり、浴室での再利用については記載されていない。浴室で再利用する場合にも別途配管を用いる構成にすると部品が増えて、製造コストがかかるという問題がある。
【０００６】
そこで、本発明は前述の問題点を鑑みてなされたものであり、簡単な構成で、浴槽の残り湯を浴室内にて再利用することができる給湯装置を提供することを目的とする。
【課題を解決するための手段】
【０００７】
本発明は前述の目的を達成するために以下の技術的手段を採用する。
【０００８】
本発明は、浴槽水を給湯使用側端末に送る場合には、浴槽水を給湯流路に供給するように風呂循環部を制御し、浴槽の下部から給湯使用側端末に浴槽水が流入するように浴槽水調節手段を制御することを特徴とする給湯装置である。
【０００９】
このような本発明に従えば、風呂循環部によって浴槽内の浴槽水を給湯流路に供給することができる。制御手段は、浴槽水を給湯使用側端末に送る場合には、浴槽水を給湯流路に供給するように風呂循環部を制御し、浴槽の下部から給湯使用側端末に浴槽水が流入するように浴槽水調節手段を制御する。これによって給湯流路には浴槽水が流入し、貯湯タンク内の湯水に換えて浴槽水を給湯使用側端末に供給することができる。したがって利用者は、貯湯タンク内の湯水を使うことなく、浴槽水を用いて、からだ洗いや浴室を洗浄することができる。これによって貯湯タンク内の湯水の消費を節約することができる。また浴槽水の汚れの度合いは、利用者が視認によって認識することができる。したがって浴槽水の汚れが度合いによっては、浴槽水よりもきれいな貯湯タンク内の湯水を用いることができ、いずれを用いるかは利用者が判断することができる。したがって利便性を向上することができる。
【図面の簡単な説明】
【００１０】
【図１】第１実施形態の給湯装置１０の配管構成を示した図である。
【図２】再給湯制御を示すフローチャートである。
【図３】低温の浴槽水９１を再給湯する場合の浴槽水９１の流路を示した図である。
【図４】高温の浴槽水９１を再給湯する場合の浴槽水９１の流路を示した図である。
【図５】第２実施形態の給湯装置１０Ａの配管構成を示した図である。
【発明を実施するための形態】
【００１１】
以下、図面を参照しながら本発明を実施するための形態を、複数の形態について説明する。各実施形態で先行する実施形態で説明している事項に対応している部分には同一の参照符を付すか、または先行の参照符号に一文字追加し、重複する説明を略する場合がある。また各実施形態にて構成の一部を説明している場合、構成の他の部分は、先行して説明している実施形態と同様とする。各実施形態で具体的に説明している部分の組合せばかりではなく、特に組合せに支障が生じなければ、実施形態同士を部分的に組合せることも可能である。
【００１２】
（第１実施形態）
本発明の第１実施形態に関して、図１〜図４を用いて説明する。給湯装置１０は、一般家庭用として使用されるものであり、貯湯タンク２１内に貯えられた温水を熱源として、たとえば台所、洗面所および浴室などへの給湯機能の他に、浴槽への湯張りおよび湯張りされた浴槽水を追い焚きする機能を有するものである。
【００１３】
給湯装置１０は、図１に示すように、貯湯タンクユニット２０とヒートポンプユニット３０とを含んで構成される。貯湯タンクユニット２０は、貯湯タンク２１、風呂循環回路２２、熱負荷回路２３、給水用配管２４、給湯配管２５および制御部（図示せず）を含んで構成される。貯湯タンク２１は、温水を内部に貯える。貯湯タンク２１は、給湯用の湯を蓄える容器であり、耐食性に優れた金属製、例えば、ステンレス製からなり、その外周部に断熱材が設けられ、給湯用の高温水を長時間に渡って保温することができる。貯湯タンク２１は縦長形状であり、その底面に導入口２１ａが設けられている。
【００１４】
貯湯タンク２１には、貯湯タンク２１の内部の貯湯量および貯湯温度を検出するために高さ方向に複数個並んだサーミスタからなる水温サーミスタ（図示せず）が設けられている。各水位における貯湯タンク２１内に満たされた湯もしくは水の温度情報は、水温サーミスタから制御部に出力される。したがって、制御部は、水温サーミスタからの温度情報に基づいて、貯湯タンク２１内上方の沸き上げられた湯と貯湯タンク２１内の下方の沸き上げられる前の水との境界位置を検出できるとともに、これにより貯湯量が検出できるようになっている。
【００１５】
貯湯タンク２１の底面の導入口２１ａには貯湯タンク２１内に市水を供給する給水用配管２４が接続されている。給水用配管２４には、導入される水道水の水圧が所定圧となるように調節するとともに、断水などにおける湯水の逆流を防止する減圧弁２４ａが設けられている。この給水用配管２４は、後述する風呂混合弁５１および給湯混合弁６１につながっている。また給水用配管２４には、給水用逆止弁２４ｂが設けられている。
【００１６】
ヒートポンプユニット３０は、加熱循環回路３１、加熱循環ポンプ３２および加熱部３３を含んで構成される。加熱循環回路３１は、貯湯タンク２１外に設けられ、貯湯タンク２１の下部と貯湯タンク２１の上部とを接続する。加熱循環ポンプ３２は、加熱循環回路３１を介して貯湯タンク２１の下部の水を貯湯タンク２１の上部に送る。加熱部３３は、加熱循環回路３１を流れる水を加熱する加熱手段である。したがってヒートポンプユニット３０は、貯湯タンク２１の下部から流れてくる水を加熱して、貯湯タンク２１の上部に排出する。加熱部３３は、冷媒として臨界温度の低い二酸化炭素を使用するヒートポンプサイクルを有している。したがって加熱部３３は、図示は省略するが、少なくとも圧縮機、放熱器としての水−冷媒熱交換器、可変式減圧器、蒸発器および気液分離器が閉回路を構成するように接続されている。また、蒸発器の下流側には、蒸発器下流側の温度を検出する蒸発器温度サーミスタが設けられている。制御部は、蒸発器温度サーミスタから検出情報を受け取るとともに、可変式減圧器や圧縮機の運転を制御している。
【００１７】
加熱部３３は、水−冷媒熱交換器の冷媒流路を流れる高温高圧の冷媒と、水−冷媒熱交換器の水流路を流れる水との間で熱交換を行うことにより、温水を沸き上げることができる。また、ヒートポンプユニット３０は、電気式エジェクタを用いたエジェクタ式サイクルで構成してもよい。
【００１８】
加熱部３３を超臨界ヒートポンプで構成した場合、一般的なヒートポンプサイクルよりも高温、例えば、８５℃〜９０℃程度の湯を貯湯タンク２１内に蓄えることができる。ヒートポンプサイクルは、主に、貯湯タンク２１内に貯まっている温水が不足しているときや料金設定の安価な深夜時間帯の深夜電力を利用して貯湯タンク２１内の湯を沸き上げる沸上げ給湯運転を行う。
【００１９】
加熱循環回路３１は、貯湯タンク２１の下部から水を取出して加熱部３３で加熱し、再び貯湯タンク２１の上部に戻すための回路である。加熱循環回路３１は、貯湯タンク２１の下部と加熱部３３とを接続する沸上用往き配管３１ａ、および加熱部３３と貯湯タンク２１の上部とを接続する沸上用戻り配管３１ｂを有する。
【００２０】
また沸上用戻り配管３１ｂには、三方弁３６が設けられる。三方弁３６には、沸上用戻り配管３１ｂには給水用配管２４の給水用逆止弁２４ｂの下流側を接続する導入配管３７が設けられる。また沸上用戻り配管３１ｂには、三方弁３６と加熱部３３との間と外部熱交換器２６とを接続する取出配管２７が接続されている。三方弁３６は、沸上用戻り配管３１ｂを通過して貯湯タンク２１の上部に向かう流量と、導入配管３７を通過して貯湯タンク２１の上部に向かう流量との流量比を調節する。また三方弁３６は、貯湯タンク２１の上部から沸上用戻り配管３１ｂを通過して外部熱交換器２６へ向かう流量を調節する。
【００２１】
熱負荷回路２３は、風呂の浴槽の湯を追い焚きするため、貯湯タンク２１内の湯水と浴槽の湯とを熱交換するための回路である。熱負荷回路２３は、取出配管２７、外部熱交換器２６、取入配管２８、追焚きポンプ２９および風呂１次サーミスタ２８ａを有する。取出配管２７は、前述のように沸上用戻り配管３１ｂに接続される。外部熱交換器２６は、間接熱交換器であって、取出配管２７を通過した湯水を風呂側（熱負荷側）の湯水と熱交換する。具体的には、外部熱交換器２６は、貯湯タンク２１内の湯水が流通する第１流通部と浴槽水が流通する第２流通部とを隣接するように構成される。そして外部熱交換器２６は、貯湯タンク２１内の湯水と浴槽水とが対向流となるように構成され、両者間で熱交換が行われる。
【００２２】
取入配管２８は、外部熱交換器２６を通過した湯水を貯湯タンク２１の中間部に戻す。追焚きポンプ２９は、貯湯タンク２１の湯水を取出配管２７から外部熱交換器２６と取入配管２８とを経由して貯湯タンク２１に戻す方向に循環させる熱負荷用循環ポンプである。風呂１次サーミスタ２８ａは、取入配管２８を通過する湯水の温度を検出する温度検出手段である。
【００２３】
前述のように沸上用戻り配管３１ｂと熱負荷回路２３との接続部には、三方弁３６が設けられる。三方弁３６は、沸上用戻り配管３１ｂを通過して貯湯タンク２１に戻す流量と、沸上用戻り配管３１ｂを通過して取出配管２７に流れる流量との流量比を調節する。また三方弁３６は、貯湯タンク２１から取り出されて取出配管２７に流す状態と、導入配管３７からの湯水を取出配管２７に流す状態とを切り換える。
【００２４】
貯湯タンク２１の上部には、貯湯タンク２１内の高温水部の温水が流出して給湯使用側端末７０まで流れる給湯流路を内部に形成する給湯配管２５が設けられる。給湯配管２５は、給湯使用側端末７０であるシャワー、カランおよび手洗い栓などに連通しており、途中で分岐する配管は風呂用配管５２であり、風呂の浴槽内に連通する配管である。
【００２５】
貯湯タンク２１の下部には、第２開閉弁３８が配設された第２排出配管３９が接続されている。貯湯タンク２１内の湯水を外部に排出したい場合には、第２開閉弁３８を開いて、貯湯タンク２１の湯水を排出する。
【００２６】
貯湯タンク２１内のほぼ中間部である中温水部は、貯湯タンク２１内に蓄えられた給湯用の温水のうち、中温水を導出するための中温水配管４０と連絡されている。給湯配管２５と中温水配管４０の合流部には、中温水混合弁４１が設けられている。中温水混合弁４１は、給湯用水の湯温を調節する温度調節弁であり、それぞれの開口面積比を調節することで、給湯配管２５から取り出した高温水と中温水配管４０から取り出した中温水との混合比を調節することができる。
【００２７】
中温水混合弁４１よりも下流部位には、給湯配管２５と分岐した風呂用配管５２が接続されている。そして中温水混合弁４１の下流側の給湯配管２５には、給湯混合弁６１が設けられ、風呂用配管５２には風呂混合弁５１が設けられる。給湯混合弁６１は、給湯配管２５と給水用配管２４との合流部に設けられる。風呂混合弁５１は、風呂用配管５２と給水用配管２４との合流部に設けられる。給湯混合弁６１および風呂混合弁５１は、それぞれ給湯配管２５、風呂用配管５２の末端で出湯する給湯用水の湯温を調節する温度調節弁である。これらは、それぞれの開口面積比、つまり、中温水混合弁４１で温度調節された給湯用水側の開度と市水配管に連通する水側の開度の比率を調節することによって、出湯する湯温を設定温度に調節する。
【００２８】
給湯混合弁６１の下流側の給湯配管２５には、給湯サーミスタ６２、給湯用流量カウンタ６３および給湯用逆止弁６４が設けられる。給湯サーミスタ６２は、給湯配管２５に流れる温水の温度を検出する。給湯用流量カウンタ６３は、給湯配管２５に流れる温水の流量を検出する。給湯用逆止弁６４は、給湯配管２５の末端のシャワーから給湯混合弁６１に逆流させないために設けられる。
【００２９】
浴槽９０には、浴槽９０内の浴槽水９１を循環可能とする風呂循環回路２２が接続している。風呂循環回路２２は、貯湯タンク２１内の湯水を循環する熱負荷回路２３との間で熱交換するための外部熱交換器２６に浴槽水９１を循環する。風呂循環回路２２は、浴槽９０内の浴槽水９１を外部熱交換器２６の上流端に導く風呂往き配管８１と、外部熱交換器２６で熱交換された浴槽水９１を浴槽９０内に導く風呂戻り配管８２とから構成されている。
【００３０】
風呂戻り配管８２には、上流側から順に、風呂熱交サーミスタ８３、風呂循環ポンプ８４、風呂追焚きサーミスタ８５、風呂循環センサ８６、および風呂流量カウンタ８７が設けられている。風呂循環センサ８６は、風呂戻り配管８２の風呂側に方向に浴槽水９１が流通しているか否かを検出するためのセンサである。風呂追焚きサーミスタ８５は、風呂戻り配管８２内の浴槽水９１の温度を検出する。風呂循環ポンプ８４は、浴槽９０の浴槽水９１を風呂往き配管８１から外部熱交換器２６と風呂戻り配管８２とを経由して浴槽９０に戻す方向に循環させるポンプである。風呂熱交サーミスタ８３は風呂熱交換の出口温度を検出する。また風呂流量カウンタ８７は、風呂戻り配管８２に流れる浴槽水９１の流量を検出する。また風呂用配管５２は、その下流端が外部熱交換器２６と風呂循環ポンプ８４との間に位置する風呂戻り配管８２に繋がれている。
【００３１】
給湯配管２５の給湯混合弁６１の下流側と風呂戻り配管８２の風呂循環ポンプ８４の下流側とを接続するバイパス配管１００が設けられている。バイパス配管１００の内部は、風呂循環回路２２における外部熱交換器２６の下流側と給湯配管２５とを接続するバイパス流路を形成する。バイパス配管１００は、風呂戻り配管８２との接続部位では、循環湯経路切替弁１０１が設けられている。またバイパス配管１００は、給湯配管２５との接続部位では、循環湯混合弁１０２が設けられている。循環湯経路切替弁１０１は、風呂戻り配管８２からの浴槽水９１を浴槽９０に流す状態と、バイパス配管１００に流す状態とを切り換える。したがって循環湯経路切替弁１０１は、風呂循環回路２２からバイパス配管１００に流入する流量と、風呂循環回路２２を経て浴槽９０へ戻る流量とを調節する風呂調節手段として機能する。また循環湯混合弁１０２は、給湯配管２５からの湯水とバイパス配管１００からの湯水との流量比を調節する。したがって循環湯混合弁１０２は、貯湯タンク２１の上部から給湯使用側端末７０に供給する流量と、浴槽９０の下部から給湯使用端末に供給する流量とを調節する浴槽水調節手段として機能する。
【００３２】
制御部は、制御手段であって、マイクロコンピュータを主体として構成され、記憶手段として内蔵するＲＯＭまたはＲＡＭには、あらかじめ設定された制御プログラムや更新可能な制御プログラムが備えられている。制御部は、各サーミスタからの温度情報、各流量カウンタおよび流水スイッチからの流量情報、および台所リモコン（図示せず）や風呂リモコン９２などの操作スイッチからの操作信号等に基づいて、ヒートポンプユニット３０、各混合弁、開閉弁、風呂循環ポンプ８４などのアクチュエータ類を制御する。したがって操作スイッチは、ヒートポンプユニット３０、混合弁、沸上用循環ポンプおよび追焚きポンプ２９を操作するために用いられる。
【００３３】
次に、給湯装置１０の動作に関して説明する。まず、ヒートポンプユニット３０を利用した貯湯タンク２１への湯の貯湯動作について説明する。特定の沸上時間帯として例えば時間帯別電灯制度の夜間時間帯において、ヒートポンプユニット３０を運転させる。ヒートポンプユニット３０の運転により、貯湯タンク２１の下部の水を所定の沸上温度に沸き上げて貯湯タンク２１の上部に戻し、貯湯タンク２１の上部側から予め設定された湯量または貯湯タンク２１の全量分の湯を貯湯する。
【００３４】
次に、給湯動作について説明する。給湯配管２５の下流側に配設される給湯栓等を開くことにより、給水圧力により貯湯タンク２１内の湯が押し出され、各配管を通じて貯湯タンク２１からの湯と給水用配管２４からの水とを各混合弁で混合されて給湯する。
【００３５】
次に、浴槽９０の利用について説明する。浴槽９０に湯張りする場合、給湯混合弁６１を開くことにより、給水圧力により貯湯タンク２１内の湯が押し出され、給湯配管２５を通じて貯湯タンク２１からの湯と給水用配管２４から給水される水とを混合して湯張り設定温度の湯とする。そしてこの湯を供給し、給湯配管２５から浴槽９０に給湯する。そして、浴槽９０に湯張りした後は、所定時間毎に、風呂循環ポンプ８４を作動させて浴槽９０の浴槽水９１を風呂循環回路２２内に循環させ、風呂追焚きサーミスタ８５で浴槽水９１の温度を検知し、保温の必要つまり追い焚き動作の必要があるか監視する。
【００３６】
浴槽水９１の温度が設定温度よりも低下した際には自動的に追い焚き動作し、また、風呂リモコン９２などの手動操作によっても追い焚き動作する。追い焚き動作では、まず、風呂循環ポンプ８４を運転させ、浴槽水９１を風呂循環回路２２内に取り込んで外部熱交換器２６に循環させる。その状態で、追焚きポンプ２９を運転させることにより、貯湯タンク２１内の湯水を、取出配管２７を通じて取り出して外部熱交換器２６に送り込む。そして外部熱交換器２６で貯湯タンク２１からの湯水と浴槽９０からの浴槽水９１とで熱交換させる。また風呂混合弁５１を開くことによって、給水圧力により貯湯タンク２１内の湯が押し出され、給湯配管２５を通じて貯湯タンク２１からの湯と給水用配管２４から給水される水とを混合して風呂戻り配管８２に給湯する。そして熱交換により温度上昇した浴槽水９１と、風呂混合弁５１からの湯水によって、風呂熱交サーミスタ８３で一定温度以上となるように、追焚きポンプ２９の回転数を増加減し浴槽９０に戻し、浴槽９０内の湯温を上昇させる。外部熱交換器２６を通過して温度低下した貯湯タンク２１からの湯水は、取入配管２８を通じて貯湯タンク２１に戻す。
【００３７】
次に、浴槽水９１を給湯使用側端末７０から出湯する再給湯制御に関して、図２〜図４を用いて説明する。図２に示す再給湯制御は、給湯装置１０が電源投入状態において、制御部によって短時間に繰り返し実行される処理である。
【００３８】
ステップＳ１では、浴槽水再給湯中であるか否か、または再給湯要求の有無を判断し、浴槽水９１を再給湯中の場合および再給湯要求がある場合には、ステップＳ２に移る。浴槽水９１を再給湯中でない場合、および再給湯要求がない場合には、ステップＳ１０に移る。浴槽水９１を再給湯中であるとは、バイパス配管１００を用いて、浴槽水９１を風呂循環ポンプ８４によって給湯使用側端末７０に送っている状態をいう。また再給湯要求とは、風呂循環ポンプ８４を動作させて浴槽水９１を給湯使用側端末７０で用いるために風呂リモコン９２などから入力される要求をいう。
【００３９】
ステップＳ２では、湯水面高さと風呂往き配管８１の入口の高さを比較し、湯水面高さが高い場合には、ステップＳ３に移り、高くない場合には、ステップＳ１０に移る。湯水面高さが風呂往き配管８１の入口よりも高くないと、再給湯するために風呂往き配管８１から浴槽水９１を吸い込めない。したがって再給湯するためには、浴槽９０に最低限の浴槽水９１が貯留されている必要がある。
【００４０】
ステップＳ３では、オート機能がＯＮか否かを判断し、ＯＮの場合には、ステップＳ５に移り、ＯＮでなくＯＦＦの場合には、ステップＳ４に移る。ステップＳ４では、オート機能が現在ＯＮであるので、オート機能をＯＦＦにして、ステップＳ５に移る。オート機能とは、風呂の湯張り温度が設定されており、自動的に設定された湯張り温度となるように、風呂循環回路２２を用いて追焚きする機能をいう。したがってオート機能がＯＮの場合には、温度が低くなると、追焚きするように動作する。再給湯中には、風呂循環回路２２は再給湯制御に用いられるので、オート機能をＯＦＦにする。
【００４１】
ステップＳ５では、たし湯機能がＯＮか否かを判断し、ＯＮの場合には、ステップＳ７に移り、ＯＮでなくＯＦＦの場合には、ステップＳ６に移る。ステップＳ６では、たし湯機能が現在ＯＮであるので、たし湯機能をＯＦＦにして、ステップＳ７に移る。たし湯機能とは、風呂の湯張り量が設定されており、自動的に設定された湯張り量となるように、給湯配管２５および給湯混合弁６１を用いてお湯を浴槽９０に給湯する機能をいう。したがってたし湯機能がＯＮの場合には、湯量が少なくなると、たし湯するように動作する。再給湯中には、給湯配管２５は再給湯制御に用いられるので、たし湯機能をＯＦＦにする。
【００４２】
ステップＳ７では、再給湯するために浴槽水循環路開となるように循環湯経路切替弁１０１および循環湯混合弁１０２を制御し、ステップＳ８に移る。これによってバイパス配管１００に風呂循環回路２２からの浴槽水９１が流入し、バイパス配管１００を流下した浴槽水９１が循環湯混合弁１０２を経由して、給湯使用側端末７０に流下可能となる。
【００４３】
ステップＳ８では、浴槽水再給湯機能ＯＮにして、ステップＳ９に移る。浴槽水再給湯機能をＯＮにすると、風呂循環ポンプ８４が動作して、浴槽水９１をくみ上げる。これによって使用者が給湯使用側端末７０、たとえばシャワーなどを使用すると、浴槽水９１がシャワーから出湯される。
【００４４】
ステップＳ９では、熱交換機能ＯＮにして、本フローを終了する。熱交換機能をＯＮにすると、いわゆる追焚き機能をＯＮにしたのと同様に、追焚きポンプ２９が動作して、風呂循環回路２２を流れる浴槽水９１が外部熱交換器２６にて熱交換されて、浴槽水９１の温度が調節される。これによって使用者が設定された温度にて浴槽水９１を給湯使用側端末７０から出湯することができる。
【００４５】
次に、ステップＳ１およびステップＳ２にて、ステップＳ１０に移った場合の処理に関して説明する。ステップＳ１０では、浴槽水循環路が閉か否かを判断し、浴槽水循環路が閉の場合は、ステップＳ１２に移り、閉でない場合には、ステップＳ１１に移る。ステップＳ１１では、浴槽水循環路が現在開であるので、閉となるように制御し、ステップＳ１２に移る。ステップＳ１およびステップＳ２の判断で、ステップＳ１０では、再給湯中でなく再給湯要求もない場合か、再給湯が湯量不足によって不可能な場合である。したがって再給湯制御が実施できないように、浴槽水循環路を閉、すなわちバイパス配管１００に浴槽水９１が流入しないように制御される。
【００４６】
ステップＳ１２では、浴槽水再給湯機能をＯＦＦに制御し、ステップＳ１３に移る。浴槽水再給湯機能をＯＦＦにすると、風呂循環ポンプ８４が停止して、浴槽水９１のくみ上げが停止される。
【００４７】
ステップＳ１３では、熱交換機能をＯＦＦにして、本フローを終了する。熱交換機能をＯＦＦにすると、いわゆる追焚き機能をＯＦＦにしたのと同様に、追焚きポンプ２９が停止される。
【００４８】
このように再給湯要求があるか、再給湯中である場合には、バイパス配管１００に浴槽水９１が流れるように制御され、さらに風呂循環ポンプ８４および追焚きポンプ２９が動作して、バイパス配管１００に流れる浴槽水９１の温度が調節される。また浴槽水９１の再給湯中は、他の機能、たとえば追い焚き、たし湯および保温等は停止またはキャンセルされる。そしてステップＳ２にて、浴槽９０内の湯量を監視することで、湯量が少なくなり、風呂往き配管８１の入口から風呂循環ポンプ８４による取り込みが不可になる前に、自動的に残り湯選択を解除または選択できなくする。これによって風呂循環ポンプ８４の空回りを防止することができる。
【００４９】
また再給湯要求は、すなわち残り湯の使用選択は、風呂リモコン９２等により設定でき、切り替えることができる。また浴槽９０内のお湯の再給湯中は、風呂リモコン９２がその旨を表示するように制御してもよい。
【００５０】
次に、浴槽水９１の温度調節に関して図３および図４を用いて説明する。外部熱交換器２６には、貯湯タンク２１内の水温が異なる少なくとも２つの供給箇所から温水が供給される。本実施形態では、貯湯タンク２１内の上部の高温水と、貯湯タンク２１内の下部の低温水とが供給可能である。高温水を外部熱交換器２６に供給する場合は、図３に太線で示すように、高温水が外部熱交換器２６に流れるように三方弁３６が制御される。また低温水を外部熱交換器２６に供給する場合は、図４に太線で示すように、低温水が導入配管３７を介して流れるように三方弁３６が制御される。
【００５１】
制御部は、浴槽水９１を給湯使用側端末７０に送る場合には、予め設定される温度で給湯流路に浴槽水９１が流入するように、貯湯タンク２１から外部熱交換器２６に供給される温水の供給箇所を制御する。したがって、たとえば設定温度よりも浴槽水９１の温度が低い場合には、高温水によって外部熱交換器２６にて加熱するように制御する。また設定温度よりも浴槽水９１の温度が高い場合には、低温水によって外部熱交換に冷却するように制御される。したがって低温水と熱交換することによって、浴槽水９１の熱を回収することができる。
【００５２】
以上説明したように本実施形態の給湯装置１０では、浴槽水９１を給湯使用側端末７０に送る場合には、浴槽水９１を給湯配管２５に供給するように循環湯経路切替弁１０１および循環湯混合弁１０２が制御部によって制御される。これによって浴槽９０内の浴槽水９１を給湯配管２５に供給することができる。したがって貯湯タンク２１内の湯水に換えて浴槽水９１を給湯使用側端末７０に供給することができる。これによって利用者は、貯湯タンク２１内の湯水を使うことなく、浴槽水９１を用いて、からだ洗いや浴室を洗浄することができる。したがって貯湯タンク２１内の湯水の消費を節約することができる。また浴槽水９１の汚れの度合いは、利用者が視認によって認識することができる。したがって浴槽水９１の汚れの度合いによっては、浴槽水９１よりもきれいな貯湯タンク２１内の湯水を用いることができ、いずれを用いるかは利用者が判断することができる。したがって利便性を向上することができる。
【００５３】
また本実施形態では、風呂循環回路２２には外部熱交換器２６が設けられている。したがって浴槽水９１を給湯使用側端末７０に供給する際に、外部熱交換器２６にて貯湯タンク２１内の湯水を熱交換させることができる。したがって貯湯タンク２１内の湯水の熱量を利用して、浴槽水９１の温度を調節することができる。これによって給湯使用側端末７０にて浴槽水９１を用いる場合であっても、温度が調節した状態で供給することができる。したがって利便性を向上することができる。
【００５４】
さらに本実施形態では、制御部は、浴槽水９１を給湯使用側端末７０に送る場合には、風呂循環ポンプ８４を駆動するように制御する。さらに制御部は、風呂循環回路２２からバイパス配管１００に浴槽水９１が流入するように循環湯経路切替弁１０１を制御し、バイパス配管１００から給湯使用側端末７０に浴槽水９１が流入するように循環湯混合弁１０２を制御する。これによって外部熱交換器２６によって温度調節された浴槽水９１を、浴槽９０に再び戻すこと、および給湯使用側端末７０に供給することができる。したがって使用状況に応じて、利用者は適宜、浴槽水９１の利用法を選択することができる。これによって利便性を向上することができる。
【００５５】
また本実施形態では、外部熱交換器２６には、貯湯タンク２１内の水温が異なる高温水と低温水とが供給可能である。制御部は、浴槽水９１を給湯使用側端末７０に送る場合には、予め設定される温度で給湯配管２５に浴槽水９１が流入するように、貯湯タンク２１から外部熱交換器２６に供給される温水の供給箇所を制御する。これによって三方弁３６を制御することにより、外部熱交換器２６での熱交換を、貯湯タンク２１内の高温または低温のお湯と切り替えができる。したがって再利用する湯水を高温から低温まで調整することができる。またたとえば設定温度より浴槽水９１の温度が低い場合は、貯湯タンク２１への熱回収が可能となる。
【００５６】
換言すると、本実施形態では、風呂循環ポンプ８４で汲み上げた浴槽９０内の湯または水を、風呂循環回路２２を通す事で、外部熱交換器２６により温度調整できる。そして循環湯経路切替弁１０１および循環湯混合弁１０２によりバイパス配管１００を介して浴室内の水栓およびシャワーへ浴槽水９１を廻すことにより、浴槽水９１を再利用できる。浴槽水９１を浴室内で再利用することで、浴槽９０内の汚れなどの湯質を使用者が直接確認し、再利用するかしないかを判断できる。したがってお湯を浄化する必要がなく、風呂循環ポンプ８４で給湯装置１０内に取り込んだ湯水を、貯湯タンク２１内の湯水と熱交換することで再利用するお湯の温度調整を可能にすることができる。また給湯使用側端末７０にホースなどを接続することによって、浴室外での残り湯の使用も可能となり、洗濯機への給湯水もできる。
【００５７】
また本実施形態の給湯装置１０は、既存の風呂循環ポンプ８４を使用し、給湯装置１０内の風呂循環回路２２に設けたバイパス配管１００などにより、給湯装置１０内で再給湯経路を確保し、浴室内のみへ供給している。したがって再利用するための外部配管や特別な外部設備の必要がなく、低コストで実現することができる。
【００５８】
（第２実施形態）
次に、本発明の第２実施形態に関して、図５を用いて説明する。本実施形態では、追焚き機能を有しない点に特徴を有する。給湯装置１０Ａは、給湯配管２５と浴槽９０の下部とを接続し、浴槽９０内の浴槽水９１を給湯配管２５に供給する風呂循環部１１０を有する。風呂循環部１１０は、給湯配管２５の給湯混合弁６１の下流側と浴槽９０とを接続するバイパス配管１００が設けられている。バイパス配管１００は、給湯配管２５との接続部位では、循環湯混合弁１０２が設けられている。
【００５９】
制御部は、再給湯制御をする場合には、風呂循環ポンプ８４を作動させて、循環湯混合弁１０２をバイパス配管１００と給湯使用側端末７０とを接続するように制御する。これによって浴槽水９１が風呂循環ポンプ８４によってくみ上げられて、給湯使用側端末７０にて用いることができる。
【００６０】
このような簡単な構成であっても、浴槽水９１を再利用することができる。したがって簡単な構成で、浴槽水９１を再利用することができる装置を実現することができる。
【００６１】
（その他の実施形態）
以上、本発明の好ましい実施形態について説明したが、本発明は上述した実施形態に何ら制限されることなく、本発明の主旨を逸脱しない範囲において種々変形して実施することが可能である。
【００６２】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００６３】
前述の第１実施形態では、浴槽水９１の再利用中は、追い焚き、たし湯および保温等のオート機能を強制的にＯＦＦしたが、このような制御に限るものではない。たとえば予めユーザの設定により、浴槽水９１の再利用中の他機能のＯＮ／ＯＦＦの選択ができるようにしてもよい。
【００６４】
前述の第１実施形態では、残り湯の再給湯口は、シャワーまたは水栓だがこれに限るものではなく、たとえばシャワー付水栓であればシャワーと水栓の切り替えを水栓で行うことができる。
【００６５】
前述の第１実施形態では、浴槽水９１の温度調整は、外部熱交換器２６による熱交換による方法であったが、これに限るものではない。たとえば貯湯タンク２１内の貯湯水と浴槽水９１とを、循環湯混合弁１０２にて混合して、高低温に調整してもよい。
【符号の説明】
【００６６】
１０…給湯装置        ２１…貯湯タンク        ２２…風呂循環回路（風呂循環部）
２３…熱負荷回路                      ２５…給湯配管（給湯流路）
２６…外部熱交換器（間接熱交換器）    ３０…ヒートポンプユニット
３１…加熱循環回路    ３２…加熱循環ポンプ    ３３…加熱部（加熱手段）
４０…中温水配管      ４１…中温水混合弁      ５１…風呂混合弁
５２…風呂用配管      ６１…給湯混合弁        ７０…給湯使用側端末
８１…風呂往き配管    ８２…風呂戻り配管      ８４…風呂循環ポンプ
９０…浴槽            ９１…浴槽水            ９２…風呂リモコン
１００…バイパス配管（バイパス流路）    １０１…循環湯経路切替弁（風呂調節手段）
１０２…循環湯混合弁（浴槽水調節手段）  １１０…風呂循環部
【図１】
2015072098.tif 000003
【図２】
2015072098.tif 000004
【図３】
2015072098.tif 000005
【図４】
2015072098.tif 000006
【図５】
2015072098.tif 000007